【手続補正書】
【提出日】平成26年10月6日(2014.10.6)
【手続補正１】
【補正対象書類名】特許請求の範囲
【補正対象項目名】全文
【補正方法】変更
【補正の内容】
【特許請求の範囲】
【請求項１】
注入システム用の流体加圧ユニットにおいて、
前記注入システム用の流体加圧ユニットは、
終端部分と、前記終端部分の近位端に位置する溝とを備えるプランジャシャフトであって、前記溝が、基部と、前記基部から前記プランジャシャフトの遠位端に向けて、前記プランジャシャフトの長手方向軸に対して鋭角で半径方向外側に直線状に延在する面取りされたショルダとを備える、プランジャシャフトと、
内表面を備えるシリンジと、
前記シリンジ内に装着されるプランジャであって、前記プランジャが、
単一の射出成形部品であり、且つ前記シリンジの前記内表面と封止係合するワイパ側壁であって、前記ワイパ側壁の前記内表面に形成され、且つ前記プランジャの空洞の周囲にわたって互いに離間された長手方向に延在する複数のリブを備えた半径方向に拡張可能−収縮可能な部分を有するワイパ側壁と、
前記ワイパ側壁によって画定される空洞と、
前記長手方向に延在する複数のリブの中の少なくとも一つのリブに形成され、且つ前記空洞内に突出するタブとを備え、前記タブが、前記プランジャシャフトの前記終端部分が前記プランジャに完全に挿入されると、前記プランジャシャフトの前記溝と取り外し可能に係合するように構成される、プランジャと、を含む、注入システム用の流体加圧ユニット。
【請求項２】
前記タブは、前記タブが前記プランジャシャフトの前記溝と係合する係合する時に前記プランジャシャフトの前記溝の前記面取りされたショルダと係合するための面取りされた表面を備えている、請求項１に記載の、注入システム用の流体加圧ユニット。
【請求項３】
前記シリンジは、
近位開口と、
前記シリンジの前記内表面が前記シリンジの第１の内径を画定する範囲にわたる第１の長さと、
前記シリンジの前記内表面が前記シリンジの第２の内径を画定する範囲にわたる第２の長さとを備え、
前記第１の長さが、前記シリンジの前記近位開口から前記第２の長さに向かって延在し、前記第１の内径が前記第２の内径より大きい、請求項２に記載の注入システム用の流体加圧ユニット。
【請求項４】
前記プランジャが前記シリンジの前記第１の長さまで後退すると、前記プランジャシャフトの前記溝の前記面取りされたショルダと前記タブの前記面取りされた表面の間の力により、前記半径方向に拡張可能−収縮可能な部分を、前記第１の内径を画定する前記内表面に向けて半径方向に拡張させるように、前記半径方向に拡張可能−収縮可能な部分は構成されている、請求項３に記載の注入システム用の流体加圧ユニット。
【請求項５】
前記半径方向に拡張可能−収縮可能な部分の前記半径方向の拡張によって、前記プランジャの前記タブを前記プランジャシャフトの前記溝から切り離す、請求項４に記載の注入システム用の流体加圧ユニット。
【請求項６】
前記プランジャの前記タブを前記プランジャシャフトの前記溝から切り離す時、前記プランジャは、前記プランジャシャフトから切り離され、前記シリンジ内で遠位に且つ前記プランジャシャフトから離れるように移動するように構成されている、請求項５に記載の注入システム用の流体加圧ユニット。
【請求項７】
前記プランジャの前記半径方向に拡張可能−収縮可能な部分は、前記プランジャの前記近位端の周りで周方向に連続的である、請求項１に記載の注入システム用の流体加圧ユニット。
【請求項８】
注入システムの流体加圧ユニット用の使い捨てのサブアセンブリにおいて、
前記注入システムは、終端部分と、前記終端部分の近位端に位置する溝とを備えるプランジャシャフトであって、前記溝が、基部と、前記基部から遠位に、前記プランジャシャフトの長手方向軸に対して鋭角で延在するショルダとを備える、プランジャシャフトを有し、
前記サブアセンブリは、
内表面を備えるシリンジと、
前記シリンジ内に装着されるプランジャであって、前記プランジャが、前記シリンジの前記内表面と封止係合するワイパ側壁と、前記ワイパ側壁によって画定される空洞と、前記ワイパ側壁の内表面に形成され且つ前記空洞内に突出する少なくとも一つのタブとを備え、前記少なくとも一つのタブが、前記プランジャシャフトの前記終端部分が前記プランジャに完全に挿入されると、前記プランジャシャフトの前記溝と取り外し可能に係合するように構成される、プランジャとを備えている、注入システムの流体加圧ユニット用の使い捨てのサブアセンブリ。
【請求項９】
前記プランジャの前記ワイパ側壁は、前記少なくとも一つのタブが形成されている半径方向に拡張可能−収縮可能な部分を有する、請求項８に記載のサブアセンブリ。
【請求項１０】
前記プランジャの前記半径方向に拡張可能−収縮可能な部分は、前記ワイパ側壁の前記内表面に形成され且つ前記プランジャの前記空洞の周囲にわたって互いに離間された、長手方向に延在する複数のリブを有し、前記少なくとも一つのタブは、前記複数のリブの中の少なくともいくつかのリブの各々に形成されている一つのタブを有する、請求項９に記載のサブアセンブリ。
【請求項１１】
前記プランジャは、単一の射出成形部品を備えている、請求項８に記載のサブアセンブリ。
【請求項１２】
前記タブは、前記タブが前記プランジャの前記溝と係合する時に前記プランジャシャフトの前記溝の面取りされたショルダと係合するための面取りされた表面を備えている、請求項８に記載のサブアセンブリ。
【請求項１３】
前記シリンジは、
近位開口と、
前記シリンジの前記内表面が前記シリンジの第１の内径を画定する範囲にわたる第１の長さと、
前記シリンジの前記内表面が前記シリンジの第２の内径を画定する範囲にわたる第２の長さとを備え、
前記第１の長さが、前記シリンジの前記近位開口から前記第２の長さに向かって延在し、前記第１の内径が前記第２の内径より大きい、請求項８に記載のサブアセンブリ。
【請求項１４】
注入システム用の流体加圧ユニットを無効にする方法において、
前記流体加圧ユニットは、プランジャシャフト、シリンジ及びプランジャを有し、前記プランジャのタブの第１の面取りされた表面が前記プランジャシャフトの溝の第２の面取りされた表面と係合し、
前記方法は、
前記シリンジを前記流体加圧ユニットの全ての下流流路から隔離する段階と、
前記シリンジ内で前記プランジャの遠位にある場所で真空を発生させるように、前記シリンジの第１の内径を有する第１の部分から、前記第１の内径よりも大きい第２の内径を有する、前記シリンジの第２の部分に向けて、前記プランジャシャフトを後退させる段階と、
前記プランジャシャフトをさらに後退させ、前記プランジャシャフトの前記第２の面取りされた表面が、前記プランジャの前記第１の面取りされた表面を半径方向外側に押しやり、それにより、前記プランジャを前記プランジャシャフトから切り離す段階とを備えている、注入システム用の流体加圧ユニットを無効にする方法。
【請求項１５】
前記プランジャは、前記プランジャを前記プランジャシャフトから切り離す時に、前記シリンジの前記第１の部分に戻り、それにより、前記プランジャの前記第１の面取りされた表面を内側へ押しやるのに適している、請求項１４に記載の方法。
【請求項１６】
前記プランジャを前記プランジャシャフトと切り離した後に前記プランジャシャフトの遠位端を前記シリンジの中に挿入する段階と、
前記プランジャシャフトで前記プランジャを前記シリンジの前記第１の部分の遠位端に向けてさらに押す段階と、
前記プランジャシャフトを前記シリンジから後退させる段階とをさらに備えている、請求項１５に記載の方法。
【請求項１７】
注入システムを操作する方法において、
注入システム用の流体加圧ユニット
前記注入システム用の流体加圧ユニットは、
基部と面取りされたショルダとを有する溝を有するプランジャシャフトであって、前記面取りされたショルダは、前記基部から前記プランジャシャフトの遠位端に向けて、前記プランジャシャフトの長手方向軸に対して鋭角で半径方向外側に直線状に延在する、プランジャシャフトと、
近位開口と、第１の内径を画定する範囲にわたる第１の長さと、第２の内径を画定する範囲にわたる第２の長さとを備えた、シリンジであって、前記第１の長さが、前記シリンジの前記近位開口から前記第２の長さに向かって延在し、前記第１の内径が前記第２の内径より大きい、シリンジと、
前記シリンジ内に装着されるプランジャであって、前記プランジャが、前記シリンジの内表面と封止係合するワイパ側壁と、前記ワイパ側壁によって画定される空洞と、前記ワイパ側壁の内表面に形成され且つ前記空洞内に突出するタブとを備えた、プランジャと、を含む、注入システム用の流体加圧ユニットを提供する段階と、
前記プランジャを前記シリンジの前記近位開口の中に挿入する段階と、
前記プランジャシャフトを前記プランジャの前記空洞の中へ前進させる段階と、
前記タブが前記プランジャシャフトの前記溝と係合するように、前記プランジャシャフト及び前記シリンジを遠位へ前記シリンジの前記第２の長さへ前進させる段階と、
前記プランジャシャフト及び前記プランジャを前記シリンジの中で前記シリンジの前記第１の長さに向けて後退させる段階と、
前記タブが前記溝と係合せず、それにより前記プランジャが前記プランジャシャフトから切り離すように、前記プランジャが前記シリンジの前記第１の長さにある時に、前記溝の前記面取りされたショルダを介して前記タブを半径方向外側に押し込む段階とを備えた、注入システムを操作する方法。
【請求項１８】
前記プランジャは、前記プランジャシャフトと切り離した時に前記シリンジの中で遠位に移動するように構成されている、請求項１７に記載の方法。
【請求項１９】
前記プランジャが前記プランジャシャフトと切り離した時に前記プランジャが前記シリンジの中で遠位に移動する段階の後で、前記プランジャシャフトを遠位に前記シリンジの中に前進させて前記プランジャシャフトが前記プランジャと接触し且つ前記プランジャを前記シリンジの中にさらに押す段階とを備え、
前記プランジャは、前記プランジャシャフトが前記プランジャと接触し且つ前記プランジャを前記シリンジの中にさらに押す時にプランジャシャフトが前記プランジャと係合しないように、前記プランジャが前記シリンジの中で収縮するように構成されている、請求項１８に記載の方法。